(57)【特許請求の範囲】
【請求項１】
ディーゼルパティキュレートフィルタに空気を送り込む送気装置と、
前記送気装置から前記ディーゼルパティキュレートフィルタに送り込まれた空気を、前記ディーゼルパティキュレートフィルタから引き抜き、外部に排出する排気装置と、
前記送気装置から前記ディーゼルパティキュレートフィルタに送り込まれる空気中に、ディーゼルエンジンから排出される排ガスに含まれる固体成分を模擬した粒子状の模擬固体成分を、一定の周期で断続的に供給する模擬固体成分供給装置とを備えた（但し、エンジンまたはバーナー装置を備えるものを除く）、
ディーゼルパティキュレートフィルタの固体成分捕集効率を測定するための測定装置。
【請求項２】
前記模擬固体成分が、パティキュレートマターを模擬したカーボンブラック及びアッシュを模擬した不燃性粒子からなる群より選択された１種以上の粒子である請求項１に記載の測定装置。
【請求項３】
前記不燃性粒子が、生石灰粒子である請求項２に記載の測定装置。
【請求項４】
前記送気装置が、ドライエアー供給装置である請求項１〜３のいずれか一項に記載の測定装置。
【請求項５】
前記排気装置が、インバータータイプのブロワーである請求項１〜４のいずれか一項に記載の測定装置。
【請求項６】
前記模擬固体成分供給装置が、前記模擬固体成分を収容する、底部に孔が設けられた収容容器と、前記収容容器の下方に配置された、一定方向に回転可能な羽根車とを有し、前記送気装置の上方に配置されている請求項１〜５のいずれか一項に記載の測定装置。
【請求項７】
前記羽根車は、その回転軸が鉛直方向に直交する方向であり、当該羽根車には、その側面方向から見て、隣接する羽根同士の間に、Ｖ字状の空間が形成されている請求項６に記載の測定装置。
【請求項８】
請求項１〜７のいずれか一項に記載の測定装置を用い、一定の時間に亘って、前記模擬固体成分を含む空気を前記ディーゼルパティキュレートフィルタに送り込むと同時に、前記空気を前記ディーゼルパティキュレートフィルタから引き抜くことで、前記ディーゼルパティキュレートフィルタに前記模擬固体成分を捕集させ、前記模擬固体成分供給装置によって、前記送気装置から前記ディーゼルパティキュレートフィルタに送り込まれた空気中に供給された前記模擬固体成分の質量と、前記ディーゼルパティキュレートフィルタに捕集された前記模擬固体成分の質量とから、前記ディーゼルパティキュレートフィルタの固体成分の捕集効率を測定する、ディーゼルパティキュレートフィルタの固体成分捕集効率の測定方法。
【発明の詳細な説明】
【技術分野】
【０００１】
本発明は、ディーゼルパティキュレートフィルタの固体成分の捕集効率を測定するための測定装置及び測定方法に関する。
【背景技術】
【０００２】
ディーゼルエンジンから排出される排ガスには、環境汚染の原因となるような炭素を主成分とするスート（スス）等の粒子状物質（パティキュレートマター（以下、「ＰＭ」という場合がある。））が多量に含まれている。このため、通常、ディーゼルエンジンの排気系には、排ガスに含まれるＰＭを除去（捕集）するためのフィルタ（ディーゼルパティキュレートフィルタ（以下、「ＤＰＦ」という場合がある。））が装着される。
【０００３】
従来、ＤＰＦの性能を評価する手段として、実際にディーゼルエンジンを運転して、ＰＭを含む排ガスを発生させ、その排ガスをＤＰＦに供給して、ＰＭの捕集効率を測定する方法が知られている。また、他の手段として、バーナー装置を使用して、ＰＭを含む排ガスを発生させ、その排ガスをＤＰＦに供給して、ＰＭの捕集効率を測定する方法が知られている。なお、ＰＭを含む排ガスを発生させるためのバーナー装置は、例えば、特許文献１〜４に開示されている。
【０００４】
また、ディーゼルエンジンから排出される排ガスには、ＰＭ以外の固体成分として、アッシュが含まれており、このアッシュも、ＰＭと同様にＤＰＦに捕集される。アッシュは、スート等のＰＭとは異なり、燃焼除去ができないため、長期に亘るＤＰＦの使用期間中に蓄積され、捕集効率や圧力損失に大きな影響を与える。従来、このようなアッシュの蓄積による影響を検討するために、実車にＤＰＦを装着して数万〜数十万ｋｍ走行させる、あるいは長期間エンジンを回すといった方法で、ＤＰＦにアッシュを堆積させたり、アッシュの捕集効率を測定したりしていた。
【先行技術文献】
【特許文献】
【０００５】
【特許文献１】特開２００７−１５５７０８号公報
【特許文献２】特開２００７−１５５７１２号公報
【特許文献３】特開２０１０−２２３８８２号公報
【特許文献４】特許第５５４８６３９号公報
【発明の概要】
【発明が解決しようとする課題】
【０００６】
しかしながら、ＤＰＦのＰＭの捕集効率を測定するに際し、実際のディーゼルエンジンやバーナー装置を使用する従来の測定方法では、ＰＭを含む排ガスを発生させるために、可燃燃料を使用することから、十分な安全性を確保する必要があった。また、測定用の装置が大きくなったり、ＰＭを発生させるのに時間を要したりするという問題があった。更に、ＤＰＦにアッシュを堆積させたり、アッシュの捕集効率を測定するために、ＤＰＦを装着した実車を長距離走行させたり、長期間エンジンを回すといった方法には、多大な時間や費用を要するという問題があった。
【０００７】
本発明は、このような従来技術の有する問題点に鑑みてなされたものである。本発明の課題とするところは、ＤＰＦの固体成分（ＰＭやアッシュ）の捕集効率を、従来よりも迅速かつ簡便に測定することができる測定装置及び測定方法を提供することにある。
【課題を解決するための手段】
【０００８】
本発明によれば、以下に示す測定装置及び測定方法が提供される。
【０００９】
［１］  ディーゼルパティキュレートフィルタに空気を送り込む送気装置と、前記送気装置から前記ディーゼルパティキュレートフィルタに送り込まれた空気を、前記ディーゼルパティキュレートフィルタから引き抜き、外部に排出する排気装置と、前記送気装置から前記ディーゼルパティキュレートフィルタに送り込まれる空気中に、ディーゼルエンジンから排出される排ガスに含まれる固体成分を模擬した粒子状の模擬固体成分を、一定の周期で断続的に供給する模擬固体成分供給装置とを備えた（但し、エンジンまたはバーナー装置を備えるものを除く）、ディーゼルパティキュレートフィルタの固体成分捕集効率を測定するための測定装置。
【００１０】
［２］  前記模擬固体成分が、パティキュレートマターを模擬したカーボンブラック及びアッシュを模擬した不燃性粒子からなる群より選択された１種以上の粒子である前記［１］に記載の測定装置。
【００１１】
［３］  前記不燃性粒子が、生石灰粒子である前記［２］に記載の測定装置。
【００１２】
［４］  前記送気装置が、ドライエアー供給装置である前記［１］〜［３］のいずれかに記載の測定装置。
【００１３】
［５］  前記排気装置が、インバータータイプのブロワーである前記［１］〜［４］のいずれかに記載の測定装置。
【００１４】
［６］  前記模擬固体成分供給装置が、前記模擬固体成分を収容する、底部に孔が設けられた収容容器と、前記収容容器の下方に配置された、一定方向に回転可能な羽根車とを有し、前記送気装置の上方に配置されている前記［１］〜［５］のいずれかに記載の測定装置。
［７］ 前記羽根車は、その回転軸が鉛直方向に直交する方向であり、当該羽根車には、その側面方向から見て、隣接する羽根同士の間に、Ｖ字状の空間が形成されている前記［６］に記載の測定装置。
【００１５】
［８］  前記［１］〜［７］のいずれかに記載の測定装置を用い、一定の時間に亘って、前記模擬固体成分を含む空気を前記ディーゼルパティキュレートフィルタに送り込むと同時に、前記空気を前記ディーゼルパティキュレートフィルタから引き抜くことで、前記ディーゼルパティキュレートフィルタに前記模擬固体成分を捕集させ、前記模擬固体成分供給装置によって、前記送気装置から前記ディーゼルパティキュレートフィルタに送り込まれた空気中に供給された前記模擬固体成分の質量と、前記ディーゼルパティキュレートフィルタに捕集された前記模擬固体成分の質量とから、前記ディーゼルパティキュレートフィルタの固体成分の捕集効率を測定する、ディーゼルパティキュレートフィルタの固体成分捕集効率の測定方法。
【発明の効果】
【００１６】
本発明の測定装置によれば、ＤＰＦの固体成分の捕集効率を、エンジンやバーナー装置を用いることなく測定できるため、可燃燃料の使用に伴う安全性の確保が不要である。また、装置の構造を簡易化することができる。そして、それによって、装置のサイズを小さくすることも可能となる。更に、ディーゼルエンジンから実際に発生した固体成分（ＰＭやアッシュ）の代わりに、それを模擬した模擬固体成分を用いるため、固体成分の発生や蓄積に長い時間を要しない。このため、測定に要する時間やコストを削減でき、迅速かつ簡便な測定が可能となる。更に、ＤＰＦに送り込まれる空気への模擬固体成分の供給が、一定の周期で断続的に行われるため、空気流中での模擬固体成分の拡散の仕方や流量が、実際の排ガス中における固体成分の拡散の仕方や流量に近い状態となる。その結果、精度の良い捕集効率の測定が可能となる。
【００１７】
本発明の測定方法は、本発明の測定装置を用いてＤＰＦの固体成分の捕集効率を測定するものである。このため、本発明の測定方法によれば、本発明の測定装置によって得られる上述の効果を享受することができる。また、本発明の測定方法は、模擬固体成分供給装置によって、送気装置からＤＰＦに送り込まれた空気中に供給された模擬固体成分の質量と、ＤＰＦに捕集された模擬固体成分の質量とから、ＤＰＦの固体成分の捕集効率を求めるものである。このため、スモークメータでは測定できない黒色以外の色の模擬固体成分（例えば、アッシュを模擬した模擬固体成分として使用する生石灰粒子）を用いて捕集効率を測定することも可能である。
【図面の簡単な説明】
【００１８】
【図１】本発明の測定装置の一の実施形態を模式的に示す側面図である。
【図２】本発明の測定装置の一の実施形態における模擬固体成分供給装置を模式的に示す断面図である。
【図３】ＤＰＦの構造の一例を模式的に示す斜視図である。
【図４】ＤＰＦの構造の一例を模式的に示す、ＤＰＦの長さ方向に平行な断面の断面図である。
【図５】本発明の測定方法により求められたＤＰＦの固体成分の捕集効率と、従来の測定方法により求められたＤＰＦの固体成分の捕集効率との関係を示すグラフである。
【発明を実施するための形態】
【００１９】
以下、本発明の実施の形態について説明する。本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２０】
（１）測定装置：
図１は、本発明の測定装置の一の実施形態を模式的に示す側面図である。図２は、本発明の測定装置の一の実施形態における模擬固体成分供給装置を模式的に示す断面図である。本発明の測定装置１０は、ＤＰＦ１の固体成分の捕集効率を測定するために使用されるものであり、送気装置２と、排気装置３と、模擬固体成分供給装置４とを備える。
【００２１】
送気装置２は、ＤＰＦ１に空気を送り込むためのものである。送気装置２は、ＤＰＦ１に送り込む空気の流量を制御できるものが好ましく、例えば、ドライエアー供給装置、送風機、コンプレッサ等が好適に使用できる。排気装置３は、送気装置２からＤＰＦ１に送り込まれた空気を、ＤＰＦ１から引き抜き、外部に排出するためのものである。排気装置３は、ＤＰＦ１から引き抜く空気の流量を制御できるものが好ましい。排気装置３には、例えば、インバータータイプのブロワーが好適に使用できる。これら送気装置２と排気装置３とによって、図１中に矢印で示すような空気の流れ（空気流）が形成される。
【００２２】
模擬固体成分供給装置４は、送気装置２からＤＰＦ１に送り込まれる空気中に、ディーゼルエンジンから排出される排ガスに含まれる固体成分を模擬した粒子状の模擬固体成分５を、一定の周期で断続的に供給するためのものである。模擬固体成分供給装置４は、図２に示すように、収容容器１１と、一定方向に回転可能な羽根車１２とを有するものであることが好ましい。この場合、模擬固体成分供給装置４は、送気装置２の上方に配置される。収容容器１１は、模擬固体成分５を収容するためのものであり、底部に孔１５が設けられている。羽根車１２は、収容容器１１の下方に配置され、モーター等の駆動装置（図示せず）によって、一定方向（例えば、時計回り）に回転することができる。
【００２３】
羽根車１２には、側面方向から見て、隣接する羽根１３同士の間に、略Ｖ字状の空間１４が形成されている。図２に示す模擬固体成分供給装置４では、この空間１４が、送気装置２からＤＰＦ１に送り込まれる空気への模擬固体成分５の供給に利用される。具体的には、まず、羽根車１２が回転する過程において、空間１４が、最も上方の位置Ａにあるときに、収容容器１１に収容されている模擬固体成分５が、底部の孔１５を通じて重力により落下し、この空間１４に収まる。そして、羽根車１２の回転により、この空間１４が、最も下方の位置Ｃに到達したときに、この空間１４に収まっていた模擬固体成分５が、重力により下方に落下する。空間１４から下方に落下した模擬固体成分５は、模擬固体成分供給装置４の下方の送気装置２からＤＰＦ１に送り込まれる空気中に供給（混入）され、当該空気と共にＤＰＦ１に送り込まれる。
【００２４】
空間１４に収まっていた模擬固体成分５が落下してから、次の空間１４に収まっていた模擬固体成分５が落下するまでには、一定の時間を要する。つまり、所定の空間１４が最も下方の位置Ｃに到達した時点から、上記所定の空間１４の１つ手前の位置Ｂにある空間１４が上記位置Ｃに到達し、その後、空間１４に収まっていた模擬固体成分５が落下する時点までには、一定の時間を要する。このため、図２に示す模擬固体成分供給装置４では、送気装置２からＤＰＦ１に送り込まれる空気中への模擬固体成分５の供給が、一定の周期で断続的に行われることになる。なお、位置Ｂは、羽根車１２の回転方向において、位置Ｃの１つ手前の位置である。実際にディーゼルエンジンから排出される排ガスに含まれる固体成分（ＰＭやアッシュ）の量は、一定ではなく、小刻みに増減を繰り返す。よって、このような模擬固体成分供給装置４を用い、模擬固体成分５を断続的に供給することで、実際にディーゼルエンジンから排出される排ガスの状態を模擬することができる。その結果、ＤＰＦ１の固体成分の捕集効率を、実使用時に近い条件で精度良く測定することが可能となる。なお、模擬固体成分供給装置４は、羽根車１２の回転速度を制御可能なものであることが好ましい。羽根車１２の回転速度を制御可能とすることにより、送気装置２からＤＰＦ１に送り込まれる空気中に模擬固体成分５を供給する周期を調整することができる。その結果、実際にディーゼルエンジンから排出される排ガスの状態をより正確に模擬（再現）することが可能となる。
【００２５】
模擬固体成分供給装置４によって供給される模擬固体成分５は、ＰＭを模擬したカーボンブラック及びアッシュを模擬した不燃性粒子からなる群より選択された１種以上の粒子であることが好ましい。また、アッシュを模擬した不燃性粒子は、生石灰粒子であることが好ましい。カーボンブラックの成分は、実際にディーゼルエンジンから排出される排ガスに含まれるＰＭの成分に類似している。更に、カーボンブラックは、様々な粒径のものが市販されている。そのため、実際にディーゼルエンジンから排出される排ガスに含まれるＰＭと同程度の粒径を有するものが入手しやすい。また、生石灰粒子の成分は、実際にディーゼルエンジンから排出される排ガスに含まれるアッシュの成分に類似している。更に、生石灰粒子は不燃性であり、アッシュと同様に燃焼除去することができない。よって、模擬固体成分５として、ＰＭを模擬したカーボンブラック、アッシュを模擬した生石灰粒子等の不燃性粒子、又は、これらの両方を用いることで、ＤＰＦ１の固体成分の捕集効率を、実使用時に近い条件で精度良く測定することが可能となる。
【００２６】
模擬固体成分供給装置４によって供給される模擬固体成分５は、ＰＭを模擬したカーボンブラックのみ、又はアッシュを模擬した不燃性粒子のみであってもよい。この場合、ＰＭの捕集効率、又はアッシュの捕集効率を単独で測定することができる。アッシュの捕集効率は、長期に亘ってＤＰＦを使用した際にＤＰＦに蓄積されるアッシュの量を推定するための有効なデータとなる。
【００２７】
また、模擬固体成分供給装置４によって供給される模擬固体成分５は、ＰＭを模擬したカーボンブラックとアッシュを模擬した不燃性粒子とが混合されたものであってもよい。ディーゼルエンジンから排出される排ガスには、燃焼除去可能なスート等のＰＭと、燃焼除去することができないアッシュとが含まれている。そのため、長期に亘るＤＰＦの使用によりアッシュが蓄積すると、捕集効率や圧力損失に大きな影響を与える。よって、模擬固体成分５として、ＰＭを模擬したカーボンブラックとアッシュを模擬した不燃性粒子とが混合されたものを用いると、ＤＰＦを実車のディーゼルエンジンの排気系に装着した場合により近い環境で、捕集効率の測定を行うことができる。
【００２８】
模擬固体成分供給装置４によって供給される模擬固体成分５には、実際にディーゼルエンジンから排出される排ガスに含まれる固体成分の粒径と同程度の粒径を有するものを用いることが好ましい。模擬固体成分５の粒径（平均粒径）の範囲は、５〜１０００ｎｍであることが好ましい。このような模擬固体成分５を用いることにより、実際にディーゼルエンジンから排出される排ガスの状態をより正確に模擬（再現）することが可能となる。
【００２９】
図１に示すように、本発明の測定装置１０は、測定対象であるＤＰＦ１を収容し、所定の位置に固定するホルダー１７を有することが好ましい。このホルダー１７は、送気装置２から排気装置３へ向かう空気が、ＤＰＦ１内を通過するのを妨げないように、ＤＰＦ１の外周面とのみ接触する構造となっていることが好ましい。
【００３０】
本発明の測定装置１０においては、図１に示すように、送気装置２と排気装置３とが、測定対象であるＤＰＦ１を間に挟んで、一直線上に並ぶような位置関係となるように配置されていることが好ましい。また、送気装置２とＤＰＦ１との間、及びＤＰＦ１と排気装置３との間には、配管１６が設けられていることが好ましい。そして、これらの配管１６を通じて、送気装置２によるＤＰＦ１への空気の送り込みと、排気装置３によるＤＰＦ１からの空気の引き抜きとが行われることが好ましい。
【００３１】
本発明の測定装置によれば、ＤＰＦの固体成分の捕集効率を、エンジンやバーナー装置を用いることなく測定できるため、可燃燃料の使用に伴う安全性の確保が不要である。また、エンジンやバーナー装置を用いないため、装置の構造を簡易化することができる。そして、それによって、装置のサイズを小さくすることも可能となる。更に、ディーゼルエンジンから実際に発生した固体成分（ＰＭやアッシュ）の代わりに、それを模擬した模擬固体成分を用いるため、固体成分の発生や蓄積に長い時間を要しない。このため、測定に要する時間やコストを削減でき、迅速かつ簡便な測定が可能となる。更に、ＤＰＦに送り込まれる空気への模擬固体成分の供給が、一定の周期で断続的に行われるため、空気流中での模擬固体成分の拡散の仕方や流量が、実際の排ガス中における固体成分の拡散の仕方や流量に近い状態となり、精度の良い測定が可能となる。
【００３２】
（２）測定方法：
本発明の測定方法は、本発明の測定装置を用いて、ＤＰＦの固体成分の捕集効率を測定するものである。具体的には、本発明の測定装置１０を用い、一定の時間に亘って、模擬固体成分５を含む空気をＤＰＦ１に送り込むと同時に、その空気をＤＰＦ１から引き抜くことで、ＤＰＦ１に模擬固体成分５を捕集させる。その後、模擬固体成分供給装置４によって、送気装置２からＤＰＦ１に送り込まれた空気中に供給された模擬固体成分５の質量と、ＤＰＦ１に捕集された模擬固体成分５の質量とから、ＤＰＦ１の固体成分の捕集効率を求める。この捕集効率は、具体的には、模擬固体成分供給装置４によって、送気装置２からＤＰＦ１に送り込まれた空気中に供給された模擬固体成分５の質量と、ＤＰＦ１に捕集された模擬固体成分５の質量とから、下記式（１）により算出することができる。下記式（１）において、「模擬固体成分供給量」は、模擬固体成分供給装置４によって、送気装置２からＤＰＦ１に送り込まれた空気中に供給された模擬固体成分５の質量である。また、「模擬固体成分捕集量」は、ＤＰＦ１に捕集された模擬固体成分５の質量である。「模擬固体成分捕集量」は、ＤＰＦ１に模擬固体成分５を捕集させた後のＤＰＦ１の質量（捕集させた模擬固体成分５を含めたＤＰＦ１の質量）から、模擬固体成分５を捕集させる前のＤＰＦ１の質量を差し引いた値である。
捕集効率（％）＝模擬固体成分捕集量／模擬固体成分供給量×１００  ・・・（１）
【００３３】
なお、エンジンやバーナー装置で発生させたＰＭを含む排ガスをＤＰＦに供給して、ＰＭの捕集効率を測定する従来の測定方法においては、スモークメータを用いて捕集効率を測定するのが一般的であった。即ち、ＤＰＦの前後にスモークメータを設置し、ＤＰＦを通過する前後の排ガスに含まれるＰＭの量を測定し、それらの測定値からＰＭの捕集効率を求めていた。しかしながら、スモークメータは、その測定原理から、スートのような黒色の固体成分の量は測定できるが、アッシュのような黒色以外の色の固体成分の量は測定することができない。これに対し、上述のようにして捕集効率を求める本発明の測定方法では、黒色以外の色の模擬固体成分（例えば、アッシュを模擬した模擬固体成分として使用する生石灰粒子）を用いて捕集効率を測定することも可能である。
【００３４】
本発明の測定方法は、本発明の測定装置を用いるため、可燃燃料の使用に伴う安全性の確保が不要である。また、ディーゼルエンジンから実際に発生した固体成分（ＰＭやアッシュ）の代わりに、それを模擬した模擬固体成分を用いる。そのため、本発明の測定方法は、固体成分の発生や蓄積に長い時間を要しない。このため、測定に要する時間やコストを削減でき、迅速かつ簡便な測定が可能となる。更に、本発明の測定方法は、ＤＰＦに送り込まれる空気への模擬固体成分の供給が、一定の周期で断続的に行われる。そのため、空気流中での模擬固体成分の拡散の仕方や流量が、実際の排ガス中における固体成分の拡散の仕方や流量に近い状態となる。その結果、精度の良い測定が可能となる。また、本発明の測定方法では、上述のとおり、スモークメータでは測定できない黒色以外の色の模擬固体成分を用いて捕集効率を測定することも可能である。
【００３５】
（３）ＤＰＦ（測定対象）：
図３は、本発明の測定装置及び測定方法の測定対象となるＤＰＦの構造の一例を模式的に示す斜視図であり、図４は、当該ＤＰＦの長さ方向に平行な断面の断面図である。
【００３６】
これら図３及び図４に示すように、通常、ＤＰＦ１は、ハニカム構造部２０と目封止部２１とを備える。ハニカム構造部２０は、排ガスＧが流入する側の端面である流入端面２４から排ガスＧが流出する側の端面である流出端面２５まで延びる複数のセル２３を区画形成する多孔質の隔壁２２を有する。目封止部２１は、複数のセル２３における流入端面２４側又は流出端面２５側のいずれか一方の端部に配設されている。複数のセル２３の内の一部のセルは、ハニカム構造部２０の流入端面２４側において、端部が目封止部２１によって目封止された入口目封止セル２３ｂである。また、複数のセル２３の内の残りのセルは、ハニカム構造部２０の流出端面２５側において、端部が目封止部２１によって目封止された出口目封止セル２３ａである。
【００３７】
このような構造のＤＰＦ１を、排ガスＧに含まれるＰＭ等の固体成分の除去に用いると、排ガスＧは、まず、流入端面２４から、出口目封止セル２３ａ内に流入する。その後、排ガスＧは、多孔質の隔壁２２を透過して、入口目封止セル２３ｂ内に移動する。そして、排ガスＧが、多孔質の隔壁２２を透過する際に、この隔壁２２が濾過層となり、排ガスＧ中の固体成分が隔壁２２に捕捉され隔壁２２上に堆積する。こうして、固体成分が除去された排ガスＧは、その後、流出端面２５から外部に流出する。
【００３８】
なお、図３及び図４に示すＤＰＦ１は、本発明の測定装置及び測定方法の測定対象となるＤＰＦの一例である。本発明の測定装置及び測定方法の測定対象は、このような構造を有するＤＰＦに限定されるものではない。即ち、ディーゼルエンジンから排出される排ガスに含まれる固体成分を捕集可能な構造を有し、事実上、ＤＰＦとして使用可能なフィルタであれば、本発明の測定装置及び測定方法による測定対象に含まれる。
【実施例】
【００３９】
以下、本発明を実施例に基づいて具体的に説明するが、本発明はこれらの実施例に限定されるものではない。
【００４０】
固体成分の捕集効率を測定するためのＤＰＦとして、以下に示す３種類のＤＰＦ（サンプル１〜３）を用意した。
【００４１】
（サンプル１）
サンプル１は、ハニカム構造部の材質がコージェライトであり、直径が３０４．８ｍｍ、長さが３０４．８ｍｍである円柱状のＤＰＦである。セル密度は３１セル／ｃｍ２、隔壁の厚さは３１７．５μｍ、セル形状（セルの長さ方向に垂直な断面におけるセルの断面形状）は正方形、隔壁の気孔率は５９％、隔壁の平均細孔径は１４μｍである。各セルの一方の端部には、ハニカム構造部と同材質の目封止部が配設されている。目封止部は、ＤＰＦの一方の端面（流入端面）と他方の端面（流出端面）とが相補的な市松模様状を呈するように配設されている。
【００４２】
（サンプル２）
サンプル２は、ハニカム構造部の材質がコージェライトであり、直径が３０４．８ｍｍ、長さが３０４．８ｍｍである円柱状のＤＰＦである。セル密度は３１セル／ｃｍ２、隔壁の厚さは３１７．５μｍ、セル形状（セルの長さ方向に垂直な断面におけるセルの断面形状）は正方形、隔壁の気孔率は５０％、隔壁の平均細孔径は１４μｍである。各セルの一方の端部には、ハニカム構造部と同材質の目封止部が配設されている。目封止部は、ＤＰＦの一方の端面（流入端面）と他方の端面（流出端面）とが相補的な市松模様状を呈するように配設されている。
【００４３】
（サンプル３）
サンプル３は、ハニカム構造部の材質がコージェライトであり、直径が３０４．８ｍｍ、長さが３０４．８ｍｍである円柱状のＤＰＦである。セル密度は３１セル／ｃｍ２、隔壁の厚さは２２８．６μｍ、セル形状（セルの長さ方向に垂直な断面におけるセルの断面形状）は正方形、隔壁の気孔率は４８％、隔壁の平均細孔径は１４μｍである。各セルの一方の端部には、ハニカム構造部と同材質の目封止部が配設されている。目封止部は、ＤＰＦの一方の端面（流入端面）と他方の端面（流出端面）とが相補的な市松模様状を呈するように配設されている。
【００４４】
上記サンプル１〜３の各ＤＰＦについて、以下に示す本発明の測定方法と従来の測定方法とにより、固体成分の捕集効率を測定した。その結果を表１に示す。また、測定結果から、本発明の測定方法により求められたＤＰＦの固体成分の捕集効率と、従来の測定方法により求められたＤＰＦの固体成分の捕集効率との関係を示すグラフを作成した。そのグラフを図５に示す。
【００４５】
（本発明の測定方法）
図１に示す本発明の測定装置を用い、２時間に亘って、模擬固体成分を含む空気をＤＰＦに送り込むと同時に、その空気をＤＰＦから引き抜くことで、ＤＰＦに模擬固体成分を捕集させた。送気装置には、コンプレッサを使用し、排気装置には、インバータータイプのブロワーを使用した。模擬固体成分供給装置には、図２に示す構造のものを使用した。模擬固体成分には、ディーゼルエンジンから排出されるＰＭを模擬した平均粒径１４ｎｍのカーボンブラックを用いた。模擬固体成分供給装置による、送気装置からＤＰＦに送り込まれる空気中への模擬固体成分の供給は、１秒間当たり７回とした。供給１回当たりの模擬固体成分の供給量は、０．９ｍｇとした。送気装置からＤＰＦに送り込まれる空気の流量と、排気装置によりＤＰＦから引き抜かれる空気の流量は、いずれも１５Ｎｍ３／分とした。こうして、ＤＰＦに模擬固体成分を捕集させた後、上記の式（１）により、固体成分の捕集効率を求めた。
【００４６】
（従来の測定方法）
軽油を燃料としたバーナーにより、ＰＭを含む２００℃の排ガスを発生させた。この排ガスを、１５Ｎｍ３／分の流量で、２時間に亘って、ＤＰＦに供給し、ＤＰＦにＰＭを捕集させた。こうして、ＤＰＦにＰＭを捕集させた後、固体成分（ＰＭ）の捕集効率を求めた。捕集効率は、ＤＰＦの前方（ガス流れ方向上流側）と後方（ガス流れ方向下流側）とにおける排ガス中のＰＭの質量をそれぞれスモークメータにより測定し、それら測定値から、下記式（２）により算出した。
捕集効率（％）＝（ＤＰＦの前方における排ガス中のＰＭの質量−ＤＰＦの後方における排ガス中のＰＭの質量）／ＤＰＦの前方における排ガス中のＰＭの質量×１００  ・・・（２）
【００４７】
【表１】
0006448440.tif 000002
【００４８】
（結果）
表１及び図５に示すように、本発明の測定方法によって測定されたＤＰＦの固体成分の捕集効率と、従来の測定方法によって測定されたＤＰＦの固体成分の捕集効率とは、ほぼ同等の値を示していた。つまり、両者の測定結果には高い相関があることがわかった。即ち、本発明の測定方法（本発明の測定装置を用いた測定方法）は、従来の測定方法よりも迅速かつ簡便な測定が可能でありながら、従来の測定方法と同等の測定精度で、ＤＰＦの固体成分の捕集効率を測定することができることが確認された。
【産業上の利用可能性】
【００４９】
本発明は、ＤＰＦの固体成分の捕集効率を測定するための測定装置及び測定方法として好適に利用することができる。
【符号の説明】
【００５０】
１：ディーゼルパティキュレートフィルタ（ＤＰＦ）、２：送気装置、３：排気装置、４：模擬固体成分供給装置、５：模擬固体成分、１０：測定装置、１１：収容容器、１２：羽根車、１３：羽根、１４：空間、１５：孔、１６：配管、１７：ホルダー、２０：ハニカム構造部、２１：目封止部、２２：隔壁、２３：セル、２３ａ：出口目封止セル、２３ｂ：入口目封止セル、２４：流入端面、２５：流出端面、Ｇ：排ガス。
【図１】
0006448440.tif 000003
【図２】
0006448440.tif 000004
【図３】
0006448440.tif 000005
【図４】
0006448440.tif 000006
【図５】
0006448440.tif 000007